(57)【特許請求の範囲】
【請求項１】
コンテンツデータを蓄積するコンテンツ蓄積装置であって、
第１のデータ量を有する第１のコンテンツデータを記憶する第１の記憶部と、
前記第１の記憶部に記憶された前記第１のコンテンツデータを前記第１のデータ量よりも小さい第２のデータ量を有する第２のコンテンツデータに変換する変換部と、
前記第１の記憶部に記憶された前記第１のコンテンツデータおよび前記変換部により得られた前記第２のコンテンツデータに基づいて、前記第２のコンテンツデータを前記第１のコンテンツデータに復元するための復元データを作成する復元データ作成部と、
前記復元データ作成部により作成された前記復元データを記憶する第２の記憶部と、
前記変換部により得られた前記第２のコンテンツデータを携帯端末に送信する送信部と、
前記携帯端末から前記第２のコンテンツデータを受信し、受信した前記第２のコンテンツデータを前記第２の記憶部に記憶された前記復元データを用いて前記第１のコンテンツデータに復元する第１の復元部と、
を有するコンテンツ蓄積装置。
【請求項２】
前記変換部により得られた前記第２のコンテンツデータが前記送信部により前記携帯端末に送信されるときに、前記第１の記憶部に記憶されかつ前記第２のコンテンツデータに対応する前記第１のコンテンツデータを削除または再生不可能にする第１の制御部をさらに備えることを特徴とする請求項１記載のコンテンツ蓄積装置。
【請求項３】
前記変換部により得られた前記第２のコンテンツデータに対応する前記第１のコンテンツデータには、前記第１のコンテンツデータのコピーを制限するコピー制限情報が付加され、
前記第１の制御部は、前記コピー制限情報がコピー禁止を示している場合に前記第１の記憶部に記憶された前記第１のコンテンツデータを削除または再生不可能にすることを特徴とする請求項２記載のコンテンツ蓄積装置。
【請求項４】
前記コピー制限情報は、コピーの許容回数を含み、
前記第１の制御部は、前記変換部により得られた前記第２のコンテンツデータが前記送信部により前記携帯端末に送信されるごとに前記コピーの許容回数を減じ、前記許容回数が０となったときに前記コピー制限情報がコピーを禁止するようにコピー制限情報を更新することを特徴とする請求項３記載のコンテンツ蓄積装置。
【請求項５】
前記第１の制御部は、前記携帯端末から受信した前記第２のコンテンツデータが前記復元部により前記第１のコンテンツデータに復元されるときに、前記第２の記憶部に記憶されかつ前記第２のコンテンツデータに対応する前記復元データを削除することを特徴とする請求項２〜４のいずれかに記載のコンテンツ蓄積装置。
【請求項６】
前記第１および第２のコンテンツデータは、それぞれ第１および第２の映像フォーマットを有し、
前記復元データ作成部は、走査線および画素を補間することにより前記変換部により得られた前記第２のコンテンツデータを前記第１の映像フォーマットを有する第３のコンテンツデータに変換し、互いに対応する第１および第３のコンテンツデータの画素ごとの差分値を算出することにより前記復元データを作成することを特徴とする請求項１〜５のいずれかに記載のコンテンツ蓄積装置。
【請求項７】
前記変換部により得られた前記第２のコンテンツデータおよび前記復元データ作成部により作成された前記復元データに共通の識別情報を付与することにより前記第２のコンテンツデータと前記復元データとを関連付ける第２の制御部をさらに備えることを特徴とする請求項１〜６のいずれかに記載のコンテンツ蓄積装置。
【請求項８】
前記変換部により得られた前記第２のコンテンツデータは、第１のファイルとして前記携帯端末に送信され、
前記復元データ作成部により作成された前記復元データは、第２のファイルとして前記第２の記憶部に記憶され、
前記第２の制御部は、互いに対応する第１および第２のファイルのファイル名および拡張子の少なくとも一部を前記共通の識別情報に設定することを特徴とする請求項７記載のコンテンツ蓄積装置。
【請求項９】
前記変換部により得られた前記第２のコンテンツデータおよび前記復元データ作成部により作成された前記復元データに第１および第２の識別情報を付与し、前記第１および第２の識別情報の対応関係を記憶することにより前記第２のコンテンツデータと前記復元データとを関連付ける第３の制御部をさらに備えることを特徴とする請求項１〜６のいずれかに記載のコンテンツ蓄積装置。
【請求項１０】
前記第１および第２の識別情報の対応関係をテーブルとして記憶する第３の記憶部をさらに備えることを特徴とする請求項９記載のコンテンツ蓄積装置。
【請求項１１】
前記復元データを圧縮および伸張する圧縮伸張部をさらに備え、
前記圧縮伸張部は、前記復元データを圧縮して前記第２の記憶部に記憶し、前記第２の記憶部に記憶された前記復元データを伸張して読み出すことを特徴とする請求項１〜９のいずれかに記載のコンテンツ蓄積装置。
【請求項１２】
符号化された第１のコンテンツデータを復号し、復号された前記第１のコンテンツデータを前記第１の記憶部へ記憶する第１の復号部をさらに備えたことを特徴とする請求項１〜１１のいずれかに記載のコンテンツ蓄積装置。
【請求項１３】
前記変換部は、前記第１の復号部により復号された前記第１のコンテンツデータを前記第２のコンテンツデータに変換するときに、変換された前記第２のコンテンツデータを符号化することを特徴とする請求項１２記載のコンテンツ蓄積装置。
【請求項１４】
前記復元データ作成部は、前記変換部により符号化された前記第２のコンテンツデータを復号することを特徴とする請求項１３記載のコンテンツ蓄積装置。
【請求項１５】
コンテンツデータを蓄積するコンテンツデータの蓄積方法であって、
第１のデータ量を有する第１のコンテンツデータを記憶するステップと、
記憶された前記第１のコンテンツデータを前記第１のデータ量よりも小さい第２のデータ量を有する第２のコンテンツデータに変換するステップと、
記憶された前記第１のコンテンツデータおよび変換により得られた前記第２のコンテンツデータに基づいて、前記第２のコンテンツデータを前記第１のコンテンツデータに復元するための復元データを作成するステップと、
作成された前記復元データを記憶するステップと、
変換により得られた前記第２のコンテンツデータを携帯端末に送信するステップと、
前記携帯端末から前記第２のコンテンツデータを受信し、受信した前記第２のコンテンツデータを記憶された前記復元データを用いて前記第１のコンテンツデータに復元するステップとを備えることを特徴とするコンテンツ蓄積方法。
【請求項１６】
コンピュータにより実行可能なコンテンツデータ蓄積プログラムであって、
第１のデータ量を有する第１のコンテンツデータを記憶する処理と、
記憶された前記第１のコンテンツデータを前記第１のデータ量よりも小さい第２のデータ量を有する第２のコンテンツデータに変換する処理と、
記憶された前記第１のコンテンツデータおよび変換により得られた前記第２のコンテンツデータに基づいて、前記第２のコンテンツデータを前記第１のコンテンツデータに復元するための復元データを作成する処理と、
作成された前記復元データを記憶する処理と、
変換により得られた前記第２のコンテンツデータを携帯端末に送信する処理と、
前記携帯端末から前記第２のコンテンツデータを受信し、受信した前記第２のコンテンツデータを記憶された前記復元データを用いて前記第１のコンテンツデータに復元する処理とを備えることを特徴とするコンテンツ蓄積プログラム。
【発明の詳細な説明】
【技術分野】
【０００１】
本発明は、デジタル化されたコンテンツを蓄積するコンテンツ蓄積装置、コンテンツ蓄積方法およびコンテンツ蓄積プログラムに関する。
【背景技術】
【０００２】
従来より、デジタル化技術の発展に伴い、様々な情報を含むデジタルデータを記録可能な記録媒体、ならびにそのデジタルデータを記録および再生可能な記録再生装置の開発が進められている。
【０００３】
また、テレビジョン放送の分野では、テレビジョン番組およびコマーシャル等のコンテンツをデジタル化し、そのコンテンツデータを放送するデジタル放送サービスも開始されている。
【０００４】
このように、コンテンツをデジタルデータとして扱うことにより、伝送過程または記録再生過程におけるコンテンツデータの品質劣化を著しく低減させることができる。
【０００５】
デジタル放送サービスでは、標準テレビジョン（以下、ＳＤＴＶと略記する。）方式のコンテンツデータよりも走査線の数および各走査線の画素数が増加された高精細テレビジョン（以下、ＨＤＴＶと略記する。）方式のコンテンツデータが放送信号として送信される。
【０００６】
これにより、視聴者は、ＨＤＴＶ方式のコンテンツデータによる大画面でより豊かな臨場感を有する映像を視聴することができる。すなわち、コンテンツの映像の高品質化が実現される。
【０００７】
近年では、上記のようなコンテンツの映像の高品質化とともに、そのコンテンツの保護が要請されている。そこで、デジタル放送サービスにおいては、ＨＤＴＶ方式のコンテンツデータにコピーの制限を指定するためのコピー制限情報を付加する方法が採用されている。
【０００８】
それに伴って、そのコンテンツデータを受信する受信機には、コピー制限情報が付加されたコンテンツデータのコピーを制限する機能が設けられる。
【０００９】
具体的には、デジタル放送サービスにおいて、所定のコンテンツデータに「コピー禁止」または「１世代のみコピー可」といったコピー制限情報が付加される。
【００１０】
この場合、受信機では、「コピー禁止」のコピー制限情報が付加されたコンテンツデータの記録が禁止され、「１世代のみコピー可」のコピー制限情報が付加されたコンテンツデータの記録が一回に限り許容される。
【００１１】
それにより、高品質なコンテンツデータの無制限なコピーが防止され、高品質のコピー商品が不正に流通することが防止される。
【００１２】
一方、ＳＤＴＶ方式のコンテンツデータはＨＤＴＶ方式のコンテンツデータに比べて品質が低いので、ＨＤＴＶ方式により放送されるコンテンツデータに比べて、ＳＤＴＶ方式により放送されるコンテンツデータのコピーは制限されない場合が多い。
【００１３】
以下の説明において、ＨＤＴＶ方式のコンテンツデータの映像フォーマットをＳＤＴＶ方式のコンテンツデータの映像フォーマットに変換する処理をダウンコンバートと呼び、ＳＤＴＶ方式のコンテンツデータをＨＤＴＶ方式のコンテンツデータに変換する処理をアップコンバートと呼ぶ。
【００１４】
コピー制限情報が付加されたＨＤＴＶ方式のコンテンツデータをダウンコンバートする場合、変換されたＳＤＴＶ方式のコンテンツデータにもコピー制限情報が付加されると、当該コンテンツの映像の品質が標準になるとともに、ＳＤＴＶ方式のコンテンツデータのコピーも制限される。
【００１５】
そこで、ダウンコンバート時にコピー制限情報を書き換えることにより、ダウンコンバート後のコンテンツデータのコピーを制限させないデジタル放送受信装置が開示されている（特許文献１参照）。
【００１６】
このデジタル放送受信装置によれば、ダウンコンバート後のＳＤＴＶ方式のコンテンツデータを制限なくコピーすることができる。
【特許文献１】特開２００３−２３４９９９号公報
【発明の開示】
【発明が解決しようとする課題】
【００１７】
ところで、「コピー禁止」のコピー制限情報が付加されているＨＤＴＶ方式のコンテンツデータは、２つの記録媒体間で移動させることができる。
【００１８】
すなわち、一方の記録媒体に記録されたＨＤＴＶ方式のコンテンツデータを他方の記録媒体に記録し、その記録が完了するとともに一方の記録媒体に記録されているＨＤＴＶ方式のコンテンツデータを削除または再生不可能にする。以下、このようなコンテンツデータの移動をムーブと呼ぶ。
【００１９】
また、他方の記録媒体に記録されたＨＤＴＶ方式のコンテンツデータを一方の（元の）記録媒体に記録し、その記録が完了するとともに他方の記録媒体に記録されたＨＤＴＶ方式のコンテンツデータを削除または再生不可能にする。以下、このようなコンテンツの移動をリムーブと呼ぶ。
【００２０】
ここで、上記の２つの記録媒体に異なる映像フォーマットでコンテンツデータを記録する場合がある。この場合、コンテンツデータのムーブまたはリムーブ時には、当該コンテンツデータの映像フォーマットを変換するためにダウンコンバートまたはアップコンバートを行う。
【００２１】
ＨＤＴＶ方式のコンテンツデータをダウンコンバートしてＳＤＴＶ方式のコンテンツデータに変換し、変換したＳＤＴＶ方式のコンテンツデータを再びＨＤＴＶ方式のコンテンツデータにアップコンバートすると、コンテンツデータの品質劣化が生じる。それは、以下の理由による。
【００２２】
例えば、上記のダウンコンバート時には、データ量が大きいＨＤＴＶ方式のコンテンツデータの映像フォーマットが、データ量が標準であるＳＤＴＶ方式の映像フォーマットに変換されるため、一定量のコンテンツデータが除去される。
【００２３】
一方、上記のアップコンバート時には、ＳＤＴＶ方式のコンテンツデータの映像フォーマットがＨＤＴＶ方式の映像フォーマットに変換されるため、ダウンコンバート時に除去されたデータが不足する。それにより、コンテンツデータの品質劣化が生じる。
【００２４】
したがって、特許文献１のデジタル放送受信装置では、一度ＨＤＴＶ方式のコンテンツデータがダウンコンバートされると、ダウンコンバートされたコンテンツデータを再度アップコンバートしても、ダウンコンバート前のコンテンツデータを得ることができない。その結果、コンテンツデータの品質劣化を十分に低減することができない。
【００２５】
本発明の目的は、コンテンツデータの変換に伴う品質劣化を十分に防止できるコンテンツ蓄積装置、コンテンツ蓄積方法およびコンテンツ蓄積プログラムを提供することである。
【課題を解決するための手段】
【００２６】
（１）第１の発明に係るコンテンツ蓄積装置は、コンテンツデータを蓄積するコンテンツ蓄積装置であって、第１のデータ量を有する第１のコンテンツデータを記憶する第１の記憶部と、第１の記憶部に記憶された第１のコンテンツデータを第１のデータ量よりも小さい第２のデータ量を有する第２のコンテンツデータに変換する変換部と、第１の記憶部に記憶された第１のコンテンツデータおよび変換部により得られた第２のコンテンツデータに基づいて、第２のコンテンツデータを第１のコンテンツデータに復元するための復元データを作成する復元データ作成部と、復元データ作成部により作成された復元データを記憶する第２の記憶部と、変換部により得られた第２のコンテンツデータを記録媒体に記録する記録部と、記録媒体に記録された第２のコンテンツデータを読み込み、読み込まれた第２のコンテンツデータを第２の記憶部に記憶された復元データを用いて第１のコンテンツデータに復元する復元部とを備えるものである。
【００２７】
このコンテンツ蓄積装置においては、第１のデータ量を有する第１のコンテンツデータが第１の記憶部に記憶される。第１の記憶部に記憶された第１のコンテンツデータは、変換部により第１のデータ量よりも小さい第２のデータ量を有する第２のコンテンツデータに変換される。変換された第２のコンテンツデータは記録部により記録媒体に記録される。
【００２８】
一方、第１および第２のコンテンツデータに基づいて、第２のコンテンツデータを第１のコンテンツデータに復元するための復元データが復元データ作成部により作成される。作成された復元データは第２の記憶部に記憶される。
【００２９】
記録媒体に記録された第２のコンテンツデータが復元部により読み込まれると、読み込まれた第２のコンテンツデータが、第２の記憶部に記憶された復元データを用いて復元部により第１のコンテンツデータに復元される。これにより、第１のコンテンツデータへの第２のコンテンツデータの復元が正確かつ確実に行われる。
【００３０】
また、上記のように、記録媒体への第２のコンテンツデータの記録時に、第２の記憶部に復元データが記憶される。したがって、第１の記憶部に記憶された第１のコンテンツデータが削除または再生不可能とされた場合でも、復元部が記録媒体から第２のコンテンツデータを読み込み、復元データを用いることにより正確かつ確実に第１のコンテンツデータを復元することができる。
【００３１】
このように、この発明に係るコンテンツ蓄積装置によれば、第１のデータ量を有する第１のコンテンツデータを第１のデータ量よりも小さい第２のデータ量を有する第２のコンテンツデータに変換した後、変換された第２のコンテンツデータを品質劣化させることなく確実に第１のコンテンツデータに復元することができる。
【００３２】
本発明において、復元データとは、第２のコンテンツデータとの演算により第１のコンテンツデータを生成することができるデータをいう。
【００３３】
（２）コンテンツ蓄積装置は、変換部により得られた第２のコンテンツデータが記録部により記録媒体に書き込まれるときに、第１の記憶部に記憶されかつ当該第２のコンテンツデータに対応する第１のコンテンツデータを削除または再生不可能にする第１の制御部をさらに備えてもよい。
【００３４】
この場合、第１の記憶部に記憶された第２のコンテンツデータの変換元である第１のコンテンツデータが、第２のコンテンツデータの記録媒体への書き込み時に第１の制御部により削除または再生不可能にされる。これにより、第１のコンテンツデータのコピーを防止することができる。
【００３５】
（３）変換部により得られた第２のコンテンツデータに対応する第１のコンテンツデータには、当該第１のコンテンツデータのコピーを制限するコピー制限情報が付加され、第１の制御部は、コピー制限情報がコピー禁止を示している場合に第１の記憶部に記憶された当該第１のコンテンツデータを削除または再生不可能にしてもよい。
【００３６】
この場合、第１の記憶部に記憶される第１のコンテンツデータにコピー禁止を示すコピー制限情報が付加されているときに、同一のコンテンツを含む第１および第２のコンテンツデータがともに再生可能な状態で第１の記憶部および記録媒体に保持されることが防止される。
【００３７】
したがって、コンテンツに応じて予め第１のコンテンツデータに付加するコピー制限情報の内容を設定することにより、選択的に第１のコンテンツデータのコピーを防止することができる。
【００３８】
（４）コピー制限情報は、コピーの許容回数を含み、第１の制御部は、変換部により得られた第２のコンテンツデータが記録部により記録媒体に書き込まれるごとにコピーの許容回数を減じ、許容回数が０となったときにコピー制限情報がコピーを禁止するようにコピー制限情報を更新してもよい。
【００３９】
この場合、第１のコンテンツデータを変換することにより得られた第２のコンテンツデータが記録媒体に書き込まれるごとに、当該コピー制限情報のコピーの許容回数が第１の制御部により減ぜられる。これにより、第１のコンテンツデータを許容回数分コピーすることができる。
【００４０】
また、当該コピー制限情報のコピーの許容回数が０となることにより、第１の記憶部に記憶された第１のコンテンツデータに付加されているコピー制限情報がコピーを禁止するように第１の制御部により更新される。
【００４１】
それにより、第１のコンテンツデータが許容回数を超えてコピーされることを防止することができる。したがって、コンテンツに応じて予め第１のコンテンツデータに付加するコピー制限情報のコピーの許容回数を任意に設定することにより、選択的に第１のコンテンツデータのコピー回数を制限することができる。
【００４２】
（５）第１の制御部は、記録媒体から読み込まれた第２のコンテンツデータが復元部により第１のコンテンツデータに復元されるときに、第２の記憶部に記憶されかつ当該第２のコンテンツデータに対応する復元データを削除してもよい。
【００４３】
この場合、第１のコンテンツデータへの第２のコンテンツデータの復元時に、当該第２のコンテンツデータに対応する復元データが削除されるので、第２のコンテンツデータが第１のコンテンツデータへ複数回復元されることを防止することができる。
【００４４】
（６）第１および第２のコンテンツデータは、それぞれ第１および第２の映像フォーマットを有し、復元データ作成部は、走査線および画素を補間することにより変換部により得られた第２のコンテンツデータを第１の映像フォーマットを有する第３のコンテンツデータに変換し、互いに対応する第１および第３のコンテンツデータの画素ごとの差分値を算出することにより復元データを作成してもよい。
【００４５】
このように、第２の映像フォーマットを有する第２のコンテンツデータが、第１の映像フォーマットを有する第３のコンテンツデータに変換されるので、第１および第３のコンテンツデータの画素ごとの差分値を算出することにより、映像フォーマットの異なる第１のコンテンツデータと第２のコンテンツデータとの差分が復元データとして容易に算出される。
【００４６】
（７）コンテンツ蓄積装置は、変換部により得られた第２のコンテンツデータおよび復元データ作成部により作成された復元データに共通の識別情報を付与することにより当該第２のコンテンツデータと復元データとを関連付ける第２の制御部をさらに備えてもよい。
【００４７】
この場合、第２の制御部により、第２のコンテンツデータおよび復元データに共通の識別情報が付与され、第２のコンテンツデータと復元データとが関連付けられる。
【００４８】
それにより、記録媒体に記録された第２のコンテンツデータの復元時に、識別情報に基づいて、互いに関連付けられた第２のコンテンツデータおよび復元データを容易に得ることができる。
【００４９】
（８）変換部により得られた第２のコンテンツデータは、第１のファイルとして記録媒体に記録され、復元データ作成部により作成された復元データは、第２のファイルとして第２の記憶部に記憶され、第２の制御部は、互いに対応する第１および第２のファイルのファイル名および拡張子の少なくとも一部を共通の識別情報に設定してもよい。
【００５０】
この場合、第２のコンテンツデータが第１のファイルとして記録媒体に記録され、復元データが第２のファイルとして第２の記憶部に記憶される。互いに対応する第１および第２のファイルのファイル名および拡張子の少なくとも一部は、第２の制御部により共通の識別情報に設定される。
【００５１】
これにより、識別情報に基づいて、互いに関連付けられた第２のコンテンツデータを含む第１のファイルおよび復元データを含む第２のファイルを容易に得ることができる。
【００５２】
（９）コンテンツ蓄積装置は、変換部により得られた第２のコンテンツデータおよび復元データ作成部により作成された復元データに第１および第２の識別情報を付与し、第１および第２の識別情報の対応関係を記憶することにより当該第２のコンテンツデータと復元データとを関連付ける第２の制御部をさらに備えてもよい。
【００５３】
この場合、第２の制御部により、第２のコンテンツデータおよび復元データにそれぞれ第１および第２の識別情報が付与され、第１および第２の識別情報の対応関係が記憶されることにより、第２のコンテンツデータと復元データとが関連付けられる。
【００５４】
それにより、記録媒体に記録された第２のコンテンツデータの復元時に、記憶された対応関係に基づいて、互いに関連付けられた第２のコンテンツデータおよび復元データを容易に得ることができる。
【００５５】
（１０）コンテンツ蓄積装置は、第１および第２の識別情報の対応関係をテーブルとして記憶する第３の記憶部をさらに備えてもよい。
【００５６】
この場合、第１および第２の識別情報の対応関係がテーブルとして第３の記憶部に記憶される。それにより、テーブルに基づいて、互いに関連付けられた第２のコンテンツデータおよび復元データを正確に得ることができる。
【００５７】
（１１）コンテンツ蓄積装置は、復元データを圧縮および伸張する圧縮伸張部をさらに備え、圧縮伸張部は、復元データを圧縮して第２の記憶部に記憶し、第２の記憶部に記憶された復元データを伸張して読み出してもよい。
【００５８】
この場合、復元データが圧縮伸張部により圧縮され、第２の記憶部に記憶される。また、復元データが圧縮伸張部により伸張され、第２の記憶部から読み出される。これにより、第２の記憶部において復元データを記憶するための領域を低減することができる。
【００５９】
（１２）コンテンツ蓄積装置は、符号化された第１のコンテンツデータを復号し、復号された第１のコンテンツデータを第１の記憶部へ記憶する第１の復号部をさらに備えてもよい。
【００６０】
この場合、符号化された第１のコンテンツデータが第１の復号部により復号され、復号された第１のコンテンツデータが第１の記憶部に記憶される。これにより、コンテンツ蓄積装置は、符号化された第１のコンテンツデータを受信することができる。
【００６１】
（１３）変換部は、第１の復号部により復号された第１のコンテンツデータを第２のコンテンツデータに変換するときに、変換された第２のコンテンツデータを符号化してもよい。
【００６２】
この場合、変換部により、復号された第１のコンテンツデータが第２のコンテンツデータに変換され、変換された第２のコンテンツデータが符号化される。それにより、符号化された第２のコンテンツデータを記録媒体に記録することができる。
【００６３】
（１４）復元データ作成部は、変換部により符号化された第２のコンテンツデータを復号してもよい。
【００６４】
この場合、変換部により符号化された第２のコンテンツデータが復元データ作成部により復号される。これにより、第１の復号部により復号された第１のコンテンツデータおよび復元データ作成部により復号された第２のコンテンツデータに基づいて、復元データを容易に作成することができる。
【００６５】
（１５）第２の発明に係るコンテンツ蓄積方法は、コンテンツデータを蓄積するコンテンツデータの蓄積方法であって、第１のデータ量を有する第１のコンテンツデータを記憶するステップと、記憶された第１のコンテンツデータを第１のデータ量よりも小さい第２のデータ量を有する第２のコンテンツデータに変換するステップと、記憶された第１のコンテンツデータおよび変換により得られた第２のコンテンツデータに基づいて、第２のコンテンツデータを第１のコンテンツデータに復元するための復元データを作成するステップと、作成された復元データを記憶するステップと、変換により得られた第２のコンテンツデータを記録媒体に記録するステップと、記録媒体に記録された第２のコンテンツデータを読み込み、読み込まれた第２のコンテンツデータを記憶された復元データを用いて第１のコンテンツデータに復元するステップとを備えるものである。
【００６６】
このコンテンツ蓄積方法においては、第１のデータ量を有する第１のコンテンツデータが記憶される。記憶された第１のコンテンツデータは、第１のデータ量よりも小さい第２のデータ量を有する第２のコンテンツデータに変換される。変換された第２のコンテンツデータは記録媒体に記録される。
【００６７】
一方、第１および第２のコンテンツデータに基づいて、第２のコンテンツデータを第１のコンテンツデータに復元するための復元データが作成される。作成された復元データは記憶される。
【００６８】
記録媒体に記録された第２のコンテンツデータが読み込まれると、読み込まれた第２のコンテンツデータが、記憶された復元データを用いて第１のコンテンツデータに復元される。これにより、第１のコンテンツデータへの第２のコンテンツデータの復元が正確かつ確実に行われる。
【００６９】
また、上記のように、記録媒体への第２のコンテンツデータの記録時に、復元データが記憶される。したがって、記憶された第１のコンテンツデータが削除または再生不可能とされた場合でも、記録媒体から第２のコンテンツデータを読み込み、復元データを用いることにより正確かつ確実に第１のコンテンツデータを復元することができる。
【００７０】
このように、この発明に係るコンテンツ蓄積方法によれば、第１のデータ量を有する第１のコンテンツデータを第１のデータ量よりも小さい第２のデータ量を有する第２のコンテンツデータに変換した後、変換された第２のコンテンツデータを品質劣化させることなく確実に第１のコンテンツデータに復元することができる。
【００７１】
（１６）第３の発明に係るコンテンツ蓄積プログラムは、コンピュータにより実行可能なコンテンツデータ蓄積プログラムであって、第１のデータ量を有する第１のコンテンツデータを記憶する処理と、記憶された第１のコンテンツデータを第１のデータ量よりも小さい第２のデータ量を有する第２のコンテンツデータに変換する処理と、記憶された第１のコンテンツデータおよび変換により得られた第２のコンテンツデータに基づいて、第２のコンテンツデータを第１のコンテンツデータに復元するための復元データを作成する処理と、作成された復元データを記憶する処理と、変換により得られた第２のコンテンツデータを記録媒体に記録する処理と、記録媒体に記録された第２のコンテンツデータを読み込み、読み込まれた第２のコンテンツデータを記憶された復元データを用いて第１のコンテンツデータに復元する処理とを備えるものである。
【００７２】
このコンテンツ蓄積プログラムにおいては、第１のデータ量を有する第１のコンテンツデータが記憶される。記憶された第１のコンテンツデータは、第１のデータ量よりも小さい第２のデータ量を有する第２のコンテンツデータに変換される。変換された第２のコンテンツデータは記録媒体に記録される。
【００７３】
一方、第１および第２のコンテンツデータに基づいて、第２のコンテンツデータを第１のコンテンツデータに復元するための復元データが作成される。作成された復元データは記憶される。
【００７４】
記録媒体に記録された第２のコンテンツデータが読み込まれると、読み込まれた第２のコンテンツデータが、記憶された復元データを用いて第１のコンテンツデータに復元される。これにより、第１のコンテンツデータへの第２のコンテンツデータの復元が正確かつ確実に行われる。
【００７５】
また、上記のように、記録媒体への第２のコンテンツデータの記録時に、復元データが記憶される。したがって、記憶された第１のコンテンツデータが削除または再生不可能とされた場合でも、記録媒体から第２のコンテンツデータを読み込み、復元データを用いることにより正確かつ確実に第１のコンテンツデータを復元することができる。
【００７６】
このように、この発明に係るコンテンツ蓄積方法によれば、第１のデータ量を有する第１のコンテンツデータを第１のデータ量よりも小さい第２のデータ量を有する第２のコンテンツデータに変換した後、変換された第２のコンテンツデータを品質劣化させることなく確実に第１のコンテンツデータに復元することができる。
【発明の効果】
【００７７】
本発明に係るコンテンツ蓄積装置、コンテンツ蓄積方法およびコンテンツ蓄積プログラムによれば、第１のデータ量を有する第１のコンテンツデータを第１のデータ量よりも小さい第２のデータ量を有する第２のコンテンツデータに変換した後、変換された第２のコンテンツデータを品質劣化させることなく確実に第１のコンテンツデータに復元することができる。
【発明を実施するための最良の形態】
【００７８】
以下、本発明の一実施の形態に係るコンテンツ蓄積装置、コンテンツ蓄積方法およびコンテンツ蓄積プログラムについて説明する。
【００７９】
（１）  コンテンツ蓄積装置の動作概要
図１は、本発明の一実施の形態に係るコンテンツ蓄積装置の動作概要を説明するための図である。図１では、放送局装置１およびコンテンツ蓄積装置２を含むデジタル放送システムが示されている。このように、本実施の形態に係るコンテンツ蓄積装置２は、例えばデジタル放送システムの一部を構成する受信装置として機能する。
【００８０】
受信装置として機能するコンテンツ蓄積装置２は、例えば、ＤＶＤ（デジタルバーサタイルディスク）レコーダ、ハードディスクレコーダ、テレビジョン受像機の機能を有するパーソナルコンピュータ、または記録装置を内蔵するテレビジョン受像機、記録装置を内蔵するＳＴＢ（セットトップボックス）等である。また、コンテンツ蓄積装置２は、ディスプレイと一体化されたＤＶＤレコーダまたはハードディスクレコーダ等であってもよい。
【００８１】
さらに、コンテンツ蓄積装置２は、インターネットを介してデータをダウンロードする機能を有する携帯型データ記録再生装置であってもよい。
【００８２】
図１において、放送局装置１は、テレビジョン番組およびコマーシャル等のコンテンツをデジタル化し、そのコンテンツデータを放送信号としてコンテンツ蓄積装置２へ送信する。
【００８３】
なお、放送局装置１からコンテンツ蓄積装置２へのコンテンツデータの送信形態は、特に限定されない。例えば、放送局装置１は、無線によりコンテンツデータを送信してもよいし、有線によりコンテンツデータを送信してもよい。
【００８４】
放送局装置１からコンテンツ蓄積装置２に送信されるコンテンツデータは、例えば標準テレビジョン（以下、ＳＤＴＶと略記する。）方式のコンテンツデータよりも走査線の数および各走査線の画素数が増加された高精細テレビジョン（以下、ＨＤＴＶと略記する。）方式のコンテンツデータである。
【００８５】
コンテンツ蓄積装置２は、ＨＤＴＶ方式のコンテンツデータを受信し、そのコンテンツデータを記憶および再生することができる。
【００８６】
コンテンツ蓄積装置２には、ＨＤＴＶ方式の映像を表示可能なディスプレイ（以下ＨＤディスプレイと呼ぶ。）３が接続される。ここで、ＨＤディスプレイ３はスピーカを内蔵する。コンテンツ蓄積装置２は、記憶したＨＤＴＶ方式のコンテンツデータを再生する。それにより、ＨＤディスプレイ３は、再生されたコンテンツデータに基づいて映像表示および音声出力を行う。
【００８７】
また、コンテンツ蓄積装置２は、後述する記録媒体書込み装置および記録媒体読込み装置を備え、放送局装置１から受信したコンテンツデータを所定の記録媒体４に書き込むとともに、記録媒体４に記録されたコンテンツデータを読み込むことができる。
【００８８】
なお、本実施の形態において、記録媒体４としては、メモリカード等の不揮発性メモリ、ＤＶＤ等の光学ディスク、またはハードディスク等の磁気ディスク等のデータの書き込みおよび読み込みが可能な記録媒体を用いることができる。
【００８９】
図１では、記録媒体４に記録されたコンテンツデータを読み込みおよび再生可能な携帯端末５が示されている。携帯端末５には、ＳＤＴＶ方式の映像を表示可能なディスプレイ（以下ＳＤディスプレイと呼ぶ。）６が接続される。
【００９０】
携帯端末５は、記録媒体４に記録されたコンテンツデータを再生する。それにより、ＳＤディスプレイ６は、再生されたコンテンツデータに基づいて映像表示および音声出力を行う。この携帯端末５は、例えばＳＤディスプレイ６と一体化された携帯型ＤＶＤプレーヤ、携帯情報端末、または携帯電話等である。
【００９１】
上述のように、図１の放送システムにおいては、コンテンツデータが放送信号として放送局装置１からコンテンツ蓄積装置２へと送信される（矢印ａ）。それにより、コンテンツ蓄積装置２は、受信したコンテンツデータを記憶する。
【００９２】
コンテンツ蓄積装置２により受信されるＨＤＴＶ方式のコンテンツデータは、ＨＤディスプレイ３に対応する映像フォーマットを有する。以下、ＨＤＴＶ方式のコンテンツデータを高精細データＨＤと呼ぶ。この高精細データＨＤには、そのコンテンツデータの記録（記憶）を制限するコピー制限情報が付加されている。
【００９３】
本実施の形態では、放送局装置１から放送される際の高精細データＨＤに、「１世代のみコピー可（コピーワンス）」といったコピー制限情報が付加される。「１世代のみコピー可」とは、当該コピー制限情報が付加されたコンテンツデータの記録が一回に限り許容される旨を表す。
【００９４】
高精細データＨＤが記録される際に、コピー制限情報が「１世代のみコピー可」から「コピー禁止」に書き換えられる。「コピー禁止」とは、当該コピー制限情報が付加されたコンテンツデータの記録が禁止される旨を表す。
【００９５】
「コピー禁止」のコピー制限情報が付加されたコンテンツデータは、２つの記録媒体間で移動させることができる。以下、一方の記録媒体に記録されたコンテンツデータを他方の記録媒体に記録し、その記録が完了するとともに一方の記録媒体に記録されているコンテンツデータを削除または再生不可能にすることをムーブと呼ぶ。
【００９６】
上述のように、コンテンツ蓄積装置２は、記憶した高精細データＨＤを再生する。それにより、ＨＤディスプレイ３により高精細映像ＨＤＶが表示され、音声が出力される（矢印ｂ）。
【００９７】
一方、コンテンツ蓄積装置２は、記憶した高精細データＨＤを記録媒体４へムーブすることができる。
【００９８】
本実施の形態においては、記録媒体４に高精細データＨＤと異なる映像フォーマットを有するＳＤＴＶ方式のコンテンツデータを記録する。以下、ＳＤＴＶ方式のコンテンツデータを標準データＳＤと呼ぶ。
【００９９】
これにより、コンテンツ蓄積装置２は高精細データＨＤを記録媒体４へとムーブする場合、ＨＤＴＶ方式の高精細データＨＤをＳＤＴＶ方式の標準データＳＤに変換し（矢印ｃ）、変換された標準データＳＤを記録媒体４に書き込む（矢印ｅ）。
【０１００】
このような高精細データＨＤから標準データＳＤへの変換をダウンコンバートと呼ぶ。逆に、標準データＳＤから高精細データＨＤへの変換をアップコンバートと呼ぶ。すなわち、ダウンコンバートおよびアップコンバートは、ＨＤＴＶ方式の映像フォーマットとＳＤＴＶ方式の映像フォーマットとの間のフォーマット変換である。
【０１０１】
上述のように、高精細データＨＤがコンテンツ蓄積装置２から記録媒体４へとムーブされると、コンテンツ蓄積装置２に記憶していた高精細データＨＤは削除または再生不可能になる。
【０１０２】
ここで、高精細データＨＤのデータ量は標準データＳＤのデータ量よりも大きい。そのため、コンテンツ蓄積装置２において、高精細データＨＤから標準データＳＤへのダウンコンバート時には、ダウンコンバート前の高精細データＨＤとダウンコンバート後の標準データＳＤとの間に差分が生じる。
【０１０３】
コンテンツ蓄積装置２は、高精細データＨＤのダウンコンバート時（記録媒体４へのムーブ時）に、ダウンコンバート前の高精細データＨＤとダウンコンバート後の標準データＳＤとの間の差分を差分データＤＦとして記憶する（矢印ｄ）。
【０１０４】
携帯端末５は、記録媒体４にムーブされた標準データＳＤを読み込み（矢印ｆ）、その標準データＳＤを再生する。それにより、ＳＤディスプレイ６により標準映像ＳＤＶが表示され、音声が出力される（矢印ｇ）。
【０１０５】
本実施の形態では、コンテンツ蓄積装置２が記録媒体４に記録された標準データＳＤを読み込むことにより、一度ムーブにより記録媒体４に記録された標準データＳＤを再びコンテンツ蓄積装置２へとムーブすることができる。このように、２つの記録媒体のうち一方の記録媒体から他方の記録媒体にムーブされたコンテンツデータを、再度他方の記録媒体から一方の（元の）記録媒体へとムーブすることをリムーブと呼ぶ。
【０１０６】
コンテンツ蓄積装置２は、記録媒体４に記録された標準データＳＤをリムーブする場合、読み込んだＳＤＴＶ方式の標準データＳＤをＨＤＴＶ方式の高精細データＨＤにアップコンバートする。
【０１０７】
この場合、アップコンバート後の高精細データＨＤは、上述の差分データＤＦ分のデータが走査線補間および画素補間により作成される。そこで、コンテンツ蓄積装置２は、当該高精細データＨＤのダウンコンバート時に記憶した差分データＤＦを読み込む（矢印ｊ）。
【０１０８】
これにより、コンテンツ蓄積装置２は、差分データＤＦに基づいてアップコンバート後の高精細データＨＤの再構築を行う。それにより、記録媒体４に記録された標準データＳＤのリムーブが完了する（矢印ｉ）。
【０１０９】
このように、コンテンツ蓄積装置２は、高精細データＨＤを差分データＤＦに基づいて再構築することにより、放送局装置１からの受信時のコンテンツデータで再度高精細データＨＤを記録または再生することができる。
【０１１０】
なお、上記では、コンテンツ蓄積装置２を一方の記録媒体とし、記録媒体４を他方の記録媒体として、コンテンツデータのムーブおよびリムーブを説明しているが、ムーブおよびリムーブの回数に制限はない。
【０１１１】
すなわち、コンテンツ蓄積装置２は、記録媒体４へムーブし、記録媒体４からリムーブしたコンテンツデータを再度記録媒体４へムーブし、さらに記録媒体４からリムーブしてもよい。このように、コンテンツ蓄積装置２は、コンテンツデータを繰り返しムーブおよびリムーブすることができる。
【０１１２】
図１の例では、コンテンツ蓄積装置２と携帯端末５との間でコンテンツデータを移動させるために記録媒体４を用いているが、コンテンツ蓄積装置２と携帯端末５との間のコンテンツデータの移動は、必ずしも記録媒体４を介して行う必要はない。
【０１１３】
例えば、携帯端末５が、メモリ等の記録部を備える場合には、コンテンツ蓄積装置２は携帯端末５と通信することにより、コンテンツデータのムーブおよびリムーブを行ってもよい。携帯端末５としては、例えば記録部を備える携帯型データ記録再生装置、テレビジョン受像機の機能を有するパーソナルコンピュータ、映像表示機能を有する携帯電話または別のコンテンツ蓄積装置２等を用いることができる。
【０１１４】
この場合、コンテンツ蓄積装置２と携帯端末５との間のコンテンツデータの通信は無線または有線により行う。また、この通信は、コンテンツ蓄積装置２と携帯端末５との間で直接的に行われてもよいし、インターネット等を通じて間接的に行われてもよい。
【０１１５】
（２）  コンテンツ蓄積装置の構成および動作
コンテンツ蓄積装置２の基本構成について詳細を説明する。
【０１１６】
以下の説明では、コンテンツ蓄積装置２による受信時の高精細データＨＤを第１の高精細データＨＤ１と呼ぶ。また、コンテンツ蓄積装置２によりダウンコンバートおよびアップコンバートされた高精細データＨＤを第２の高精細データＨＤ２と呼ぶ。
【０１１７】
また、以下の説明では、放送局装置１からコンテンツ蓄積装置２へ「１世代のみコピー可」のコピー制限情報が付加された第１の高精細データＨＤ１が送信される。
【０１１８】
すなわち、コンテンツ蓄積装置２の受信時における第１の高精細データＨＤ１には、「１世代のみコピー可」のコピー制限情報が付加されている。したがって、コンテンツ蓄積装置２で記録される際に、第１の高精細データＨＤ１に付加されたコピー制限情報は「コピー禁止」と書き換えられる。その結果、コンテンツ蓄積装置２において、第１の高精細データＨＤ１および第２の高精細データＨＤ２はムーブまたはリムーブのみが行われる。
【０１１９】
図２は、本発明の一実施の形態に係るコンテンツ蓄積装置２の構成を示すブロック図である。上述のように、コンテンツ蓄積装置２には、ＨＤディスプレイ３が接続される。また、コンテンツ蓄積装置２は記録媒体４の読み込みおよび書き込みが可能である。
【０１２０】
コンテンツ蓄積装置２は、制御部５１を含む。制御部５１は、例えばマイクロコンピュータ、またはＣＰＵ（中央演算処理装置）およびメモリ等からなり、コンテンツ蓄積装置２の各構成部の動作を制御する。
【０１２１】
入力端子１１は、図示しないチューナに接続されている。これにより、入力端子１１には、チューナにより選択された放送信号ＡＲが入力される。この放送信号ＡＲは、ＭＰＥＧ（ Motion Picture Experts Group ）等の標準規格に従うストリームデータにより構成されている。
【０１２２】
第１の複号部１２は、放送信号ＡＲを復号する。これにより、第１の高精細データＨＤ１がストリームデータから復号される。
【０１２３】
制御部５１は、コンテンツ蓄積装置２内の第１の高精細データＨＤ１および後述する第２の高精細データＨＤ２に付加されたコピー制限情報を監視している。
【０１２４】
復号された第１の高精細データＨＤ１は、復号データ記憶部１３に記憶される。このとき、制御部５１は、第１の高精細データＨＤ１に付加されたコピー制限情報を「１世代のみコピー可」から「コピー禁止」に書き換える。
【０１２５】
上記の信号の流れは、図１の矢印ａに相当する。上述のように、第１の高精細データＨＤ１は、ＨＤＴＶ方式のコンテンツデータである。
【０１２６】
（２−ａ）  第１の高精細データの再生
復号データ記憶部１３に記憶された第１の高精細データＨＤ１を再生する場合、第１の高精細データＨＤ１が復号データ記憶部１３から第１の信号出力部１４に与えられる。
【０１２７】
第１の信号出力部１４は、与えられた第１の高精細データＨＤ１を出力端子１５を介してＨＤディスプレイ３に出力する。これにより、ＨＤディスプレイ３に高精細映像ＨＤＶが表示される。また、ＨＤディスプレイ３により音声が出力される。出力端子１５は、例えばコンポーネント端子またはＤ端子である。
【０１２８】
このように、復号データ記憶部１３に記憶された第１の高精細データＨＤ１を再生するときの信号の流れは、図１の矢印ｂに相当する。
【０１２９】
（２−ｂ）  記録媒体への第１の高精細データのムーブ
復号データ記憶部１３に記憶された第１の高精細データＨＤ１を標準データＳＤにダウンコンバートして記録媒体４にムーブする場合、第１の高精細データＨＤ１が復号データ記憶部１３から再符号化部２１および差分データ算出部３３に与えられる。
【０１３０】
再符号化部２１は、第１の高精細データＨＤ１をダウンコンバートするとともに、ダウンコンバートされた標準データＳＤを再度符号化する。再符号化部２１は、符号化された標準データＳＤを再符号化データ記憶部２２および第２の復号部３１に与える。
【０１３１】
再符号化データ記憶部２２は、符号化された標準データＳＤを記憶する。再符号化データ記憶部２２による標準データＳＤの記憶時において、制御部５１は、矢印Ｙ１で示すように当該標準データＳＤに後述する第１のファイル名を付与する。
【０１３２】
その後、再符号化データ記憶部２２は、標準データＳＤを記録媒体書込み装置２３に与える。これにより、第１のファイル名が付与された標準データＳＤが、記録媒体書込み装置２３により記録媒体４に書き込まれる。
【０１３３】
このように、復号データ記憶部１３に記憶された第１の高精細データＨＤ１を標準データＳＤにダウンコンバートして記録媒体４に書き込むときの信号の流れは、図１の矢印ｃ，ｅに相当する。
【０１３４】
一方、第２の復号部３１は、符号化された標準データＳＤを復号する。これにより、再度符号化された標準データＳＤがさらに復号される。
【０１３５】
第２の復号部３１は、復号された標準データＳＤを第１のアップコンバート部３２に与える。
【０１３６】
第１のアップコンバート部３２は、与えられた標準データＳＤをアップコンバートする。これにより、標準データＳＤに基づく映像フォーマットの走査線および画素が補間され、補間された走査線および画素のデータを含む第２の高精細データＨＤ２が作成される。作成された第２の高精細データＨＤ２は、差分データ算出部３３に与えられる。
【０１３７】
ここで、高精細データＨＤから標準データＳＤへのダウンコンバート時には、データ量が大きいＨＤＴＶ方式のコンテンツデータの映像フォーマットが、データ量が標準であるＳＤＴＶ方式のコンテンツデータの映像フォーマットに変換されるため、一定量のコンテンツデータが除去される。
【０１３８】
これにより、一度ダウンコンバートされた標準データＳＤが高精細データＨＤにアップコンバートされると、ダウンコンバート時に除去されたコンテンツデータが不足する。その代わりに、走査線および画素を補間するデータが作成される。
【０１３９】
そのため、第１の高精細データＨＤ１に基づいてＨＤディスプレイ３に表示される映像に比べて、第２の高精細データＨＤ２に基づいてＨＤディスプレイ３に表示される映像の品質は低くなる。
【０１４０】
具体的には、第１の高精細データＨＤ１に基づく映像に対して、第２の高精細データＨＤ２に基づく映像には、解像度の低下または表示面積の縮小等の品質劣化が生じる。
【０１４１】
そこで、差分データ算出部３３は、第１のアップコンバート部３２から与えられる第２の高精細データＨＤ２と、復号データ記憶部１３から与えられる第１の高精細データＨＤ１との差分を、差分データＤＦとして算出する。算出された差分データＤＦは、差分データ記憶部３４に記憶される。
【０１４２】
なお、差分データＤＦは、記憶時に所定の形式で圧縮されてもよい。この場合、差分データ記憶部３４において差分データＤＦを記憶するための領域を低減することができる。
【０１４３】
差分データ記憶部３４による差分データＤＦの記憶時において、制御部５１は、矢印Ｙ２で示すように当該差分データＤＦに後述する第２のファイル名を付与する。
【０１４４】
ここで、第１および第２のファイル名は、所定の文字列等により互いに関連付けられている。詳細は後述する。
【０１４５】
このように、復号データ記憶部１３に記憶された第１の高精細データＨＤ１を標準データＳＤとして記録媒体４に書き込む際に、差分データＤＦを記憶するときの信号の流れは、図１の矢印ｄに相当する。
【０１４６】
制御部５１は、「コピー禁止」のコピー制限情報に基づいて復号データ記憶部１３に記憶された第１の高精細データＨＤ１を削除または再生不可能とし、再符号化データ記憶部２２に記憶された標準データＳＤも削除または再生不可能とする。
【０１４７】
このようにして、記録媒体４に標準データＳＤが記録されるとともに、差分データ記憶部３４に差分データＤＦが記憶される。
【０１４８】
（２−ｃ）  標準データのコンテンツ蓄積装置へのリムーブ
記録媒体書込み装置２３により記録媒体４に記録された標準データＳＤをコンテンツ蓄積装置２へリムーブする場合、すなわち記録媒体４に記録された標準データＳＤをコンテンツ蓄積装置２で再生する場合、標準データＳＤが記録媒体４から記録媒体読込み装置４１により読み込まれる。読み込まれた標準データＳＤは、第３の復号部４２に与えられる。
【０１４９】
第３の復号部４２は、与えられた標準データＳＤを復号し、第２のアップコンバート部４３に与える。
【０１５０】
第２のアップコンバート部４３は、与えられた標準データＳＤをアップコンバートする。これにより、標準データＳＤに基づく走査線および画素が補間され、補間された走査線および画素のデータを含む第２の高精細データＨＤ２が作成される。作成された第２の高精細データＨＤ２は、データ再構築部４４に与えられる。
【０１５１】
ここで、一度記録媒体４に記録された標準データＳＤには、制御部５１により第１のファイル名が付与されている。制御部５１は、矢印Ｙ３で示すように、アップコンバートされる標準データＳＤの第１のファイル名を識別する。
【０１５２】
上述のように、第１および第２のファイル名は互いに関連付けられている。そこで、制御部５１は、識別した第１のファイル名に基づいて、その第１のファイル名と関連付けられた第２のファイル名を識別する。
【０１５３】
さらに、制御部５１は、識別した第２のファイル名が付与された差分データＤＦを差分データ記憶部３４から読み出し、データ再構築部４４へ与える。
【０１５４】
なお、差分データ記憶部３４において差分データＤＦが圧縮されている場合、差分データＤＦの読み出し時に差分データＤＦが伸張される。
【０１５５】
このように、制御部５１は、記録媒体４に記録された標準データＳＤと、その標準データＳＤを記録媒体４に書き込む際に作成した差分データＤＦとを第１および第２のファイル名に基づいて識別する。
【０１５６】
これにより、データ再構築部４４に与えられる第２の高精細データＨＤ２と差分データ記憶部３４から読み出された差分データＤＦとが互いに対応する。
【０１５７】
データ再構築部４４は、第２の高精細データＨＤ２および差分データＤＦに基づいて、第１の高精細データＨＤ１の再構築を行う。再構築時には、第２の高精細データＨＤ２に、差分データＤＦが加算される。それにより、第１の高精細データＨＤ１が再構築される。
【０１５８】
データ再構築部４４により再構築された第１の高精細データＨＤ１は、第２の信号出力部４５に与えられる。
【０１５９】
第２の信号出力部４５は、与えられた第１の高精細データＨＤ１を出力端子４６を介してＨＤディスプレイ３に出力する。これにより、ＨＤディスプレイ３に高精細映像ＨＤＶが表示される。また、ＨＤディスプレイ３により音声が出力される。出力端子４６は、例えばコンポーネント端子またはＤ端子である。
【０１６０】
このように、記録媒体書込み装置２３により記録媒体４に記録された標準データＳＤを再生するときの信号の流れは、図１の矢印ｈ，ｉ，ｊ，ｂに相当する。
【０１６１】
上記の記録媒体４に記録された標準データＳＤのリムーブ完了時には、データ再構築部４４により再構築された第１の高精細データＨＤ１が復号データ記憶部１３に記録される。
【０１６２】
標準データＳＤのリムーブ完了時には、差分データ記憶部３４に記憶された差分データＤＦを制御部５１が削除してもよく、あるいは削除しなくてもよい。
【０１６３】
制御部５１が差分データＤＦを削除しない場合、制御部５１は、さらに記録媒体４から読み込んだ標準データＳＤを所定の記憶部（例えば、再符号化データ記憶部２２）に記憶してもよい。このとき、リムーブ後のコンテンツ蓄積装置２には、再構築された第１の高精細データＨＤ１、差分データＤＦおよび標準データＳＤが記憶される。これらの標準データＳＤおよび差分データＤＦには、第１および第２のファイル名が付与されている。この場合、コンテンツ蓄積装置２は、コンテンツデータを繰り返しムーブおよびリムーブすることができる。
【０１６４】
制御部５１が差分データＤＦを削除する場合、標準データＳＤが複数回第１の高精細データＨＤ１に再構築されることが防止される。
【０１６５】
なお、コンテンツ蓄積装置２は、記録媒体４に記録された標準データＳＤをアップコンバートすることなく再生してもよい。この場合、図２の点線で示すように、第３の復号部４２により復号された標準データＳＤが、第２の信号出力部４５に直接与えられ、出力端子４６を介してＨＤディスプレイ３に出力される。それにより、ＨＤディスプレイ３には、ＳＤＴＶ方式の映像フォーマットで映像が表示される。
【０１６６】
（３）  コピー制限情報
（３−ａ）  コピー制限情報の内容
上記では、放送局装置１からコンテンツ蓄積装置２へ「１世代のみコピー可」のコピー制限情報が付加された第１の高精細データＨＤ１が送信される場合の例を説明したが、コンテンツ蓄積装置２に送信される第１の高精細データＨＤ１に付加されるコピー制限情報はこれに限られない。
【０１６７】
例えば、コンテンツ蓄積装置２に送信される第１の高精細データＨＤ１には、「コピー可」のコピー制限情報が付加されてもよい。
【０１６８】
この場合、制御部５１は、「コピー可」のコピー制限情報を識別することにより、そのコピー制限情報が付加されたコンテンツデータを何回でも記録することができると判別する。それにより、制御部５１は、そのコンテンツデータ（第１の高精細データＨＤ１）を削除または再生不可能とすることなく、他の記録媒体（記録媒体４）へと記録する。
【０１６９】
また、コンテンツ蓄積装置２に送信される第１の高精細データＨＤ１には、「ｎ世代のみコピー可（ｎは２以上の自然数）」のコピー制限情報が付加されてもよい。
【０１７０】
この場合、制御部５１は、「ｎ世代のみコピー可」のコピー制限情報を識別することにより、そのコピー制限情報が付加されたコンテンツデータの記録がｎ回に限り許容されると判別する。
【０１７１】
それにより、制御部５１は、そのコンテンツデータ（第１の高精細データＨＤ１）を記録するごとに、付加されるコピー制限情報を「ｎ−１世代のみコピー可」に書き換える。なお、この記録時において、制御部５１は、記録元となるコンテンツデータ（第１の高精細データＨＤ１）を削除または再生不可能としない。
【０１７２】
その後、制御部５１は、「１世代のみコピー可」のコピー制限情報を識別することにより、付加されるコピー制限情報を「コピー禁止」に書き換える。
【０１７３】
なお、差分データ算出部３３および差分データ記憶部３４による差分データＤＦの算出および記憶は、少なくともコピー制限情報が「コピー禁止」に書き換えられたときに行われる。
【０１７４】
このように、制御部５１は、復号データ記憶部１３に記憶される第１の高精細データＨＤ１に「コピー禁止」のコピー制限情報が付加されていない場合には、その第１の高精細データＨＤ１を削除または再生不可能としない。
【０１７５】
（３−ｂ）  コピー制限情報と差分データとの関係
上述のように、差分データ記憶部３４による差分データＤＦの算出および記憶は、コピー制限情報が少なくとも「コピー禁止」に書き換えられたときに行われるが、差分データＤＦの算出および記憶は次の場合にも行われる。
【０１７６】
放送局装置１からコンテンツ蓄積装置２へ「コピー可」または「ｎ世代のみコピー可」のコピー制限情報が付加された第１の高精細データＨＤ１が送信される場合、コンテンツ蓄積装置２は複数回に渡りコンテンツデータを記録媒体４へとコピーすることができる。
【０１７７】
ここで、複数の記録媒体４に対してコンテンツデータをコピーする場合、コピー先である記録媒体４に対応する映像フォーマットは１つとは限らない。
【０１７８】
例えば、コンテンツ蓄積装置２が１つのコンテンツデータを２種類の記録媒体４にコピーするときに、一方の記録媒体４に対応する映像フォーマットが後述する「５２５ｉ（４８０ｉ）」であり、他方の記録媒体４に対応する映像フォーマットが後述する「５２５ｐ（４８０ｐ）」である場合がある。
【０１７９】
この場合、コンテンツ蓄積装置２は、一方の記録媒体４へのコンテンツデータのコピー時と、他方の記録媒体４へのコンテンツデータのコピー時とで異なるフォーマット変換を行う。その結果、それぞれのコピー時に算出される差分データＤＦは異なる。
【０１８０】
それにより、コンテンツ蓄積装置２は、対応する映像フォーマットが互いに異なる複数の記録媒体４に同一のコンテンツデータ（第１の高精細データＨＤ１）をコピーする場合、映像フォーマットの異なる記録媒体４ごとに、その記録媒体４に記録されるコンテンツデータに第１のファイル名を付与し、そのコンテンツデータの作成時に作成される差分データＤＦに第２のファイル名を付与する。
【０１８１】
コンテンツ蓄積装置２は、複数の記録媒体４に複数種類の映像フォーマットでコンテンツデータをコピーした後、一の記録媒体４に記憶されたコンテンツデータを読み込むときに、第１および第２のファイル名に基づいて当該記録媒体４の映像フォーマットに応じた差分データＤＦを読み込むことができる。
【０１８２】
その結果、コンテンツ蓄積装置２は正確に第１の高精細データＨＤ１の再構築を行うことができる。なお、コピーにより一の記録媒体４に記録された一のコンテンツデータが再びコンテンツ蓄積装置２により読み込まれた場合、当該コンテンツデータのコピー制限情報のコピー可能回数は、１増加される。
【０１８３】
このようにして、コピー制限情報により許可されている回数を超える数の標準データＳＤが存在することが防止されつつ、コンテンツデータのムーブおよびリムーブが自由に行われる。
【０１８４】
（４）  映像フォーマット
上記のように、ダウンコンバートおよびアップコンバートは、ＨＤＴＶ方式の映像フォーマットとＳＤＴＶ方式の映像フォーマットとの間のフォーマット変換である。これら各映像フォーマットの具体例について説明する。
【０１８５】
図３は、ＨＤＴＶ方式の映像フォーマットおよびＳＤＴＶ方式の映像フォーマットの代表例を示す図である。図３では、ＭＰＥＧに準拠する４つの映像フォーマットが示されている。
【０１８６】
４つの映像フォーマットは、それぞれ「５２５ｉ（４８０ｉ）」、「５２５ｐ（４８０ｐ）」、「１１２５ｉ（１０８０ｉ）」および「７５０ｐ（７２０ｐ）」として表される。
【０１８７】
これらのうち「５２５ｉ（４８０ｉ）」および「５２５ｐ（４８０ｐ）」が上記のＳＤＴＶ方式の映像フォーマットに相当し、「１１２５ｉ（１０８０ｉ）」および「７５０ｐ（７２０ｐ）」が上記のＨＤＴＶの映像フォーマットに相当する。
【０１８８】
ＳＤＴＶ方式の映像フォーマットである「５２５ｉ（４８０ｉ）」は、全走査線数が５２５であり、有効走査線数が４８０であり、走査方式がインタレース（飛越走査）であることを示す。
【０１８９】
また、この映像フォーマットにおいて、映像のアスペクト比は４：３または１６：９であり、画素数は７２０×４８０である。
【０１９０】
また、ＳＤＴＶ方式の映像フォーマットである「５２５ｐ（４８０ｐ）」は、走査方式がプログレッシブ（順次走査）であること、および映像のアスペクト比が１６：９であることを除き「５２５ｉ（４８０ｉ）」と同じ内容を示す。
【０１９１】
ＨＤＴＶ方式の映像フォーマットである「１１２５ｉ（１０８０ｉ）」は、全走査線数が１１２５であり、有効走査線数が１０８０であり、走査方式がインタレースであることを示す。
【０１９２】
また、この映像フォーマットにおいて、映像のアスペクト比が１６：９であり、画素数は１９２０×１０８０である。
【０１９３】
また、ＨＤＴＶ方式の映像フォーマットである「７５０ｐ（７２０ｐ）」は、全走査線数が７５０であり、有効走査線数が７２０であり、走査方式がプログレッシブであることを示す。
【０１９４】
また、この映像フォーマットにおいて、映像のアスペクト比は１６：９であり、画素数は１２８０×７２０である。
【０１９５】
（５）  差分データの識別
図２の例では、記録媒体４に記録された標準データＳＤのリムーブ時に、その標準データＳＤに対応する差分データＤＦを識別するために、第１および第２のファイル名を用いている。この詳細を説明する。
【０１９６】
（５−ａ）  第１および第２のファイル名
一般に、コンテンツ蓄積装置２に受信される第１の高精細データＨＤ１には、上記のコピー制限情報の他、コンテンツの「番組名称」または「コマーシャル名称」、およびそのコンテンツデータの「放送日」を示すデータ（以下、名称日付データと呼ぶ。）が付加されている。
【０１９７】
制御部５１は、この名称日付データに基づいて第１および第２のファイル名を作成し、記録媒体４に書き込まれる標準データＳＤに第１のファイル名を付与し、差分データ記憶部３４に記憶される差分データＤＦに第２のファイル名を付与する。
【０１９８】
図４は、第１および第２のファイル名の作成例を示す図である。図４では、図２の復号データ記憶部１３に記憶される第１の高精細データＨＤ１、ならびにその第１の高精細データＨＤ１に基づいて再符号化データ記憶部２２に記憶される標準データＳＤおよび差分データ記憶部３４に記憶される差分データＤＦが、それぞれに付加される名称日付データとともに示されている。
【０１９９】
なお、図４において、第１の高精細データＨＤ１、標準データＳＤおよび差分データＤＦに付加されるコピー制限情報は図示しない。
【０２００】
図４では、復号データ記憶部１３に記憶される第１の高精細データＨＤ１に、「番組名称：マジックの歴史、放送日：２００５年９月１日」の名称日付データが付加されている。
【０２０１】
この場合、制御部５１は、第１の高精細データＨＤ１から得られる標準データＳＤが再符号化データ記憶部２２に記憶される際、その標準データＳＤに付与する第１のファイル名を次のように作成する。
【０２０２】
制御部５１は、第１の高精細データＨＤ１のダウンコンバート時に、その第１の高精細データＨＤ１に付加された名称日付データを識別する。そこで、制御部５１は識別した名称日付データ「番組名称：マジックの歴史、放送日：２００５年９月１日」を一時的に記憶する。
【０２０３】
そして、制御部５１は、当該名称日付データに基づいて、「番組名称＿放送日」を示す文字列と、標準データＳＤに対応する拡張子とからなる第１のファイル名を作成し、標準データＳＤに付与する。
【０２０４】
その結果、本例では、再符号化データ記憶部２２に記憶される標準データＳＤに、「マジックの歴史＿２００５０９０１．ＳＤＤＡＴ」の第１のファイル名が付与される。
【０２０５】
その後、上記の第１のファイル名が付与された標準データＳＤが記録媒体４に書き込まれる。
【０２０６】
また、制御部５１は、差分データＤＦが差分データ記憶部３４に記憶される際、その差分データＤＦに付与する第２のファイル名を第１のファイル名と関連付けて次のように作成する。
【０２０７】
制御部５１は、第１のファイル名の作成時と同様に、第１の高精細データＨＤ１に付加された名称日付データを識別し、制御部５１は識別した名称日付データ「番組名称：マジックの歴史、放送日：２００５年９月１日」を一時的に記憶する。
【０２０８】
そして、制御部５１は、当該名称日付データに基づいて、「番組名称＿放送日」を示す文字列と、差分データＤＦに対応する拡張子とからなる第２のファイル名を作成し、差分データＤＦに付与する。
【０２０９】
その結果、本例では、差分データ記憶部３４に記憶される差分データＤＦに、「マジックの歴史＿２００５０９０１．ＤＦＤＡＴ」の第２のファイル名が付与される。
【０２１０】
これにより、制御部５１は、図２のデータ再構築部４４における第１の高精細データＨＤ１の再構築時に、第１のファイル名に含まれる「番組名称＿放送日」の文字列（本例では、「マジックの歴史＿２００５０９０１」）に基づいて、同じ「番組名称＿放送日」の文字列を含む第２のファイル名が付与された差分データＤＦを識別する。
【０２１１】
その結果、制御部５１は、記録媒体４からコンテンツ蓄積装置２へのリムーブにより作成される第２の高精細データＨＤ２と対応する差分データＤＦを容易に識別することができる。それにより、データ再構築部４４には、互いに対応する第２の高精細データＨＤ２および差分データＤＦが確実に与えられる。
【０２１２】
（５−ｂ）  ファイル名対応テーブル
記録媒体４に記録された標準データＳＤのリムーブ時に、その標準データＳＤに対応する差分データＤＦを識別するために、第１および第２のファイル名を用いる代わりに、以下で説明するファイル名対応テーブルを用いてもよい。
【０２１３】
この場合、制御部５１は、再符号化データ記憶部２２に記憶される標準データＳＤおよび差分データ記憶部３４に記憶される差分データＤＦにそれぞれ所定のファイル名を付与する。また、制御部５１は、標準データＳＤと差分データＤＦとの対応関係を、ファイル名対応テーブルとして、例えば再符号化データ記憶部２２に書き込む。
【０２１４】
図５は、ファイル名対応テーブルを説明するための図である。図５では、ファイル名対応テーブルＣＴの一例とともに、再符号化データ記憶部２２に記憶される標準データＳＤおよび差分データ記憶部３４に記憶される差分データＤＦが示されている。なお、図５においても、標準データＳＤおよび差分データＤＦに付加されるコピー制限情報は図示しない。
【０２１５】
図５の例では、制御部５１は、標準データＳＤにファイル名「ＡＡ．ＳＤＤＡＴ」を付与し、対応する差分データＤＦにファイル名「ａａ．ＤＦＤＡＴ」を付与する。同時に、制御部５１は、標準データＳＤのファイル名と差分データＤＦのファイル名との対応付けをファイル名対応テーブルＣＴに書き込む。
【０２１６】
その結果、制御部５１は、記録媒体４からコンテンツ蓄積装置２へのリムーブにより作成される第２の高精細データＨＤ２と対応する差分データＤＦを容易に識別することができる。それにより、データ再構築部４４には、互いに対応する第２の高精細データＨＤ２および差分データＤＦが確実に与えられる。
【０２１７】
なお、上記ではファイル名対応テーブルＣＴが再符号化データ記憶部２２に記憶されるが、ファイル名対応テーブルＣＴは差分データ記憶部３４に記憶されてもよく、他の記憶部に記憶されてもよい。
【０２１８】
（６）  処理フロー
以下、コンテンツ蓄積装置２における種々の処理についてフローチャートを用いて説明する。
【０２１９】
（６−ａ）  コピー制限情報に関する処理
図６は、第１の高精細データＨＤ１に付加されるコピー制限情報に関する処理を示すフローチャートである。
【０２２０】
コンテンツ蓄積装置２は、第１の高精細データＨＤ１に付加されるコピー制限情報に関して以下の処理を行う。なお、以下の説明において、コンテンツ蓄積装置２による種々の処理は、図２の制御部５１が図２の各構成部を制御することにより行われる。
【０２２１】
初めに、コンテンツ蓄積装置２は、放送局装置１から送信される放送信号ＡＲを受信し、受信した放送信号ＡＲを復号する（ステップＳ１）。これにより、第１の高精細データＨＤ１がストリームデータから復号される。
【０２２２】
そこで、コンテンツ蓄積装置２は、復号された第１の高精細データＨＤ１にコピー制限情報が付加されているか否かを判別する（ステップＳ２）。
【０２２３】
第１の高精細データＨＤ１にコピー制限情報が付加されている場合、コンテンツ蓄積装置２は付加されたコピー制限情報が「コピー禁止」であるか否かを判別する（ステップＳ３）。
【０２２４】
コピー制限情報が「コピー禁止」でない場合、コンテンツ蓄積装置２は付加されたコピー制限情報が「１世代のみコピー可」であるか否かを判別する（ステップＳ４）。
【０２２５】
コピー制限情報が「１世代のみコピー可」である場合、コンテンツ蓄積装置２は当該コピー制限情報を「コピー禁止」に書き換える（ステップＳ５）。
【０２２６】
そして、コンテンツ蓄積装置２は第１の高精細データＨＤ１を記録する（ステップＳ６）。具体的には、コンテンツ蓄積装置２の制御部５１（図２）が受信した第１の高精細データＨＤ１を復号データ記憶部１３（図２）に記憶する。これにより、コピー制限情報に関する処理が終了する。
【０２２７】
ここで、上記ステップＳ２において、第１の高精細データＨＤ１にコピー制限情報が付加されていない場合、コンテンツ蓄積装置２はステップＳ６の処理を行う。
【０２２８】
また、上記ステップＳ３において、コピー制限情報が「コピー禁止」である場合、コンテンツ蓄積装置２は第１の高精細データＨＤ１を記録することなくコピー制限情報に関する処理を終了する。
【０２２９】
上記ステップＳ４において、コピー制限情報が「１世代のみコピー可」でない場合、すなわちコピー制限情報が「ｎ世代のみコピー可」である場合、コンテンツ蓄積装置２は当該コピー制限情報を「ｎ−１世代のみコピー可」に書き換え（ステップＳ７）、ステップＳ６の処理を行う。
【０２３０】
（６−ｂ）  ムーブに関する処理
図７は、コンテンツ蓄積装置２が受信した第１の高精細データＨＤ１をダウンコンバートしつつ記録媒体４へムーブする際の処理を示すフローチャートである。
【０２３１】
コンテンツ蓄積装置２は、放送局装置１から受信し、記憶した第１の高精細データＨＤ１をダウンコンバートしつつ記録媒体４へムーブする際に以下の処理を行う。なお、以下の説明においても、コンテンツ蓄積装置２による種々の処理は、図２の制御部５１が図２の各構成部を制御することにより行われる。
【０２３２】
初めに、コンテンツ蓄積装置２は、記憶したコンテンツデータのうち、ムーブ元として指定されたコンテンツデータが第１の高精細データＨＤ１であるか否かを判別する（ステップＳ１１）。
【０２３３】
例えば、ムーブ元のコンテンツデータが図３に示す「１１２５ｉ（１０８０ｉ）」の映像フォーマットを有する場合、コンテンツ蓄積装置２は当該コンテンツデータを第１の高精細データＨＤ１であると判別する。
【０２３４】
ムーブ元のコンテンツデータが第１の高精細データＨＤ１である場合、コンテンツ蓄積装置２はその第１の高精細データＨＤ１をダウンコンバートし、ダウンコンバートされた標準データＳＤを再度符号化する（ステップＳ１２）。
【０２３５】
例えば、コンテンツ蓄積装置２は、「１１２５ｉ（１０８０ｉ）」の映像フォーマットを有する第１の高精細データＨＤ１を、「５２５ｉ（４８０ｉ）」の映像フォーマットを有する標準データＳＤにダウンコンバートする。
【０２３６】
さらに、コンテンツ蓄積装置２は得られた標準データＳＤを、ＭＰＥＧ−２、ＭＰＥＧ−４またはＨ２６４等の符号化方法を用いて再度符号化する。
【０２３７】
コンテンツ蓄積装置２は符号化された標準データＳＤに第１のファイル名を付与し、その標準データＳＤを一時的に記憶する（ステップＳ１３）。
【０２３８】
ここで、コンテンツ蓄積装置２は上記ステップＳ１３の動作と並行して、次に示すステップＳ２１〜Ｓ２４の処理を行う。
【０２３９】
コンテンツ蓄積装置２は、ステップＳ１２の処理の後、標準データＳＤを再度復号し（ステップＳ２１）、復号した標準データＳＤのアップコンバートを行う（ステップＳ２２）。これにより、第２の高精細データＨＤ２が得られる。
【０２４０】
このステップＳ２１，Ｓ２２において、例えばコンテンツ蓄積装置２は、復号された「５２５ｉ（４８０ｉ）」の標準データＳＤに対して、走査線および画素を補間することにより「１１２５ｉ（１０８０ｉ）」の映像フォーマットを有する第２の高精細データＨＤ２を作成する。
【０２４１】
次に、コンテンツ蓄積装置２は記憶したムーブ元の第１の高精細データＨＤ１と、ステップＳ２１，Ｓ２２により得られた第２の高精細データＨＤ２との差分を差分データＤＦとして算出する（ステップＳ２３）。
【０２４２】
具体的には、コンテンツ蓄積装置２は、第１の高精細データＨＤ１の各画素の値と第２の高精細データＨＤ２の対応する画素の値との差分値を算出する。それにより、全ての画素についての差分値が算出されることにより、差分データＤＦが得られる。
【０２４３】
そして、コンテンツ蓄積装置２は、算出された差分データＤＦに、第１のファイル名と関連付けされた第２のファイル名を付与し、記憶する（ステップＳ２４）。
【０２４４】
続いて、コンテンツ蓄積装置２は、上記ステップＳ１３において第１のファイル名が付与された標準データＳＤを記録媒体４へと書き込む（ステップＳ１４）。
【０２４５】
最後に、コンテンツ蓄積装置２は、記録または記憶されたムーブ元の第１の高精細データＨＤ１、第２の高精細データＨＤ２および標準データＳＤを削除する（ステップＳ１５）。このようにして、ムーブ完了後にはコンテンツ蓄積装置２に、第２のファイル名が付与された差分データＤＦが記憶される。以上で、コンテンツデータのダウンコンバートおよびムーブに関する処理が終了する。
【０２４６】
上記のステップＳ１３およびステップＳ２４が、記録媒体４に記録された標準データＳＤとコンテンツ蓄積装置２に記憶される差分データＤＦとを対応付ける関連付け処理である。
【０２４７】
（６−ｃ）  リムーブに関する処理
図８は、コンテンツ蓄積装置２が記録媒体４に記録された標準データＳＤをアップコンバートしつつリムーブする際の処理を示すフローチャートである。
【０２４８】
コンテンツ蓄積装置２は、記録媒体４に記憶された標準データＳＤをアップコンバートしつつリムーブする際に以下の処理を行う。なお、以下の説明においても、コンテンツ蓄積装置２による種々の処理は、図２の制御部５１が図２の各構成部を制御することにより行われる。
【０２４９】
初めに、コンテンツ蓄積装置２は、ムーブにより記録媒体４に記録された標準データＳＤを読み込む（ステップＳ３１）。例えば、コンテンツ蓄積装置２は「５２５ｉ（４８０ｉ）」の映像フォーマットを有する標準データＳＤを読み込む。
【０２５０】
次に、コンテンツ蓄積装置２は、読み込んだ標準データＳＤを一時的に記憶するとともに、記録媒体４に記録されている標準データＳＤを削除する（ステップＳ３２）。また、コンテンツ蓄積装置２は読み込んだ標準データＳＤを復号する（ステップＳ３３）。
【０２５１】
続いて、コンテンツ蓄積装置２は、その標準データＳＤに第１のファイル名が付与されているか否かを判別する（ステップＳ３４）。
【０２５２】
標準データＳＤに第１のファイル名が付与されている場合、コンテンツ蓄積装置２はその標準データＳＤをアップコンバートする（ステップＳ３５）。これにより、第２の高精細データＨＤ２が得られる。
【０２５３】
例えば、コンテンツ蓄積装置２は、「５２５ｉ（４８０ｉ）」の映像フォーマットを有する標準データＳＤを、走査線および画素を補間することにより「１１２５ｉ（１０８０ｉ）」の映像フォーマットを有する第２の高精細データＨＤ２にアップコンバートする。
【０２５４】
そこで、コンテンツ蓄積装置２は、第１のファイル名と関連付けされた第２のファイル名の差分データＤＦを読み込む（ステップＳ３６）。
【０２５５】
そして、コンテンツ蓄積装置２は、第２の高精細データＨＤ２および差分データＤＦに基づいて第１の高精細データＨＤ１を再構築する（ステップＳ３７）。
【０２５６】
この場合、例えば、「１１２５ｉ（１０８０ｉ）」の映像フォーマットを有する第２の高精細データＨＤ２のコンテンツデータに、差分データＤＦが加算されることにより、第１の高精細データＨＤ１が再構築される。
【０２５７】
最後に、コンテンツ蓄積装置２は、再構築した第１の高精細データＨＤ１を出力する。上記ステップＳ３４において、標準データＳＤに第１のファイル名が付与されていない場合、コンテンツ蓄積装置２は標準データＳＤを出力する（ステップＳ３８）。これにより、コンテンツデータのアップコンバートおよびリムーブに関する処理が終了する。
【０２５８】
なお、上記ステップＳ３２において、コンテンツ蓄積装置２は記録媒体４に記録されている標準データＳＤを削除するが、コンテンツ蓄積装置２と携帯端末５との間で記録媒体４が用いられず、コンテンツ蓄積装置２と携帯端末５との間でコンテンツデータのムーブおよびリムーブが行われる場合、コンテンツ蓄積装置２は、携帯端末５から通信により読み込んだ標準データＳＤを一時的に記憶するとともに、携帯端末５に記録されている標準データＳＤを削除する。このときの標準データＳＤの削除は、必ずしもコンテンツ蓄積装置２が行う必要はなく、携帯端末５が行ってもよい。
【０２５９】
（７）  効果
以上のように、本実施の形態においては、第１の高精細データＨＤ１からダウンコンバートされた標準データＳＤが、コンテンツ蓄積装置２から記録媒体４にムーブされる際に差分データＤＦが作成される。
【０２６０】
その後、記録媒体４に記録された標準データＳＤがコンテンツ蓄積装置２にリムーブされる際、その標準データＳＤに対応する差分データＤＦが読み出される。そして、標準データＳＤからアップコンバートされた第２の高精細データＨＤ２および差分データＤＦに基づいて、第１の高精細データＨＤ１が再構築される。
【０２６１】
これにより、コンテンツ蓄積装置２は、記録媒体４からの標準データＳＤのリムーブ時であっても、放送局装置１からの受信時と同じ第１の高精細データＨＤ１を再生することができる。
【０２６２】
したがって、本実施の形態に係るコンテンツ蓄積装置２によれば、映像フォーマットの変換に伴うコンテンツデータの品質劣化を十分に防止することができる。その結果、視聴者は、リムーブされた第１の高精細データＨＤ１を再生する場合であっても、放送局装置１から受信されたときの第１の高精細データＨＤ１と同じ品質の高精細映像ＨＤＶを得ることができる。
【０２６３】
（８）  各構成部の実現方法
本実施の形態において、図２で示すコンテンツ蓄積装置２の構成部の一部がソフトウェアにより機能的に実現され、他の部分が電気回路等のハードウェア資源により実現されてもよい。あるいは、コンテンツ蓄積装置２の構成部の全てがハードウェア資源により実現されてもよい。
【０２６４】
（９）  コンテンツデータ
本実施の形態において、ムーブ元の処理対象とされるコンテンツデータは第１の高精細データＨＤ１であり、ムーブ先（リムーブ元）の処理対象とされるコンテンツデータは標準データＳＤであるが、各処理対象となるコンテンツデータはこれらに限られない。
【０２６５】
すなわち、ムーブ先の処理対象とされるコンテンツデータは、ムーブ元の処理対象とされるコンテンツデータよりも少ないデータ量を有していればよい。
【０２６６】
例えば、ムーブ元の処理対象とされるコンテンツデータが標準データＳＤであり、ムーブ先の処理対象とされるコンテンツデータが標準データＳＤよりも少ない走査線数および画素数の映像フォーマットを有するコンテンツデータであってもよい。
【０２６７】
このように、図３のＳＤＴＶ方式より走査線数および各走査線の画素数が少ない映像フォーマットとしては、映像表示機能を有する携帯電話に対応する映像フォーマットがある。
【０２６８】
（１０）請求項の各構成要素と実施の形態の各部との対応関係
本実施の形態においては、高精細データＨＤのデータ量が第１のデータ量に相当し、高精細データＨＤおよび第１の高精細データＨＤ１が第１のコンテンツデータに相当し、復号データ記憶部１３が第１の記憶部に相当する。
【０２６９】
また、標準データＳＤのデータ量が第２のデータ量に相当し、標準データＳＤが第２のコンテンツデータに相当し、再符号化部２１が変換部に相当し、差分データＤＦが復元データに相当し、第２の復号部３１、第１のアップコンバート部３２および差分データ算出部３３が復元データ作成部に相当する。
【０２７０】
さらに、差分データ記憶部３４が第２の記憶部に相当し、記録媒体書込み装置２３および記録媒体読込み装置４１が記録部に相当し、第２のアップコンバート部４３、データ再構築部４４、第２の信号出力部４５および制御部５１が復元部に相当し、制御部５１が第１の制御部、第２の制御部および圧縮伸張部に相当する。
【０２７１】
また、ＨＤＴＶ方式の映像フォーマットが第１の映像フォーマットに相当し、ＳＤＴＶ方式の映像フォーマットが第２の映像フォーマットに相当し、第２の高精細データＨＤ２が第３のコンテンツデータに相当し、名称日付データが共通の識別情報に相当し、第１のファイル名が第１のファイルのファイル名に相当し、第２のファイル名が第２のファイルのファイル名に相当する。
【０２７２】
さらに、図５のファイル名「ＡＡ．ＳＤＤＡＴ」が第１の識別情報に相当し、図５のファイル名「ａａ．ＤＦＤＡＴ」が第２の識別情報に相当し、ファイル名対応テーブルＣＴがテーブルに相当し、再符号化データ記憶部２２または差分データ記憶部３４が第３の記憶部に相当し、第１の複号部１２が第１の復号部に相当する。
【０２７３】
本発明において、復元データとは、第２のコンテンツデータとの演算により第１のコンテンツデータを生成することができるデータをいう。
【０２７４】
上記の実施の形態では、復元データとして、第１の高精細データＨＤ１と、標準データＳＤをアップコンバートすることにより得られる第２の高精細データＨＤ２との差分である差分データＤＦを用いている。これに限らず、復元データは、第１の高精細データＨＤ１と標準データＳＤとの間で加算、乗算、除算または所定の関数に基づく演算を行うことにより作成されてもよい。
【産業上の利用可能性】
【０２７５】
本発明は、種々の映像を表示するため等に利用することができる。
【図面の簡単な説明】
【０２７６】
【図１】本発明の一実施の形態に係るコンテンツ蓄積装置の動作概要を説明するための図
【図２】本発明の一実施の形態に係るコンテンツ蓄積装置の構成を示すブロック図
【図３】ＨＤＴＶ方式の映像フォーマットおよびＳＤＴＶ方式の映像フォーマットの代表例を示す図
【図４】第１および第２のファイル名の作成例を示す図
【図５】ファイル名対応テーブルを説明するための図
【図６】第１の高精細データに付加されるコピー制限情報に関する処理を示すフローチャート
【図７】コンテンツ蓄積装置が受信した第１の高精細データをダウンコンバートしつつ記録媒体へムーブする際の処理を示すフローチャート
【図８】コンテンツ蓄積装置が記録媒体に記録された標準データをアップコンバートしつつリムーブする際の処理を示すフローチャート
【符号の説明】
【０２７７】
２  コンテンツ蓄積装置
４  記録媒体
１２  第１の複号部
１３  復号データ記憶部
２１  再符号化部
２２  再符号化データ記憶部
２３  記録媒体書込み装置
３１  第２の復号部
３２  第１のアップコンバート部
３３  差分データ算出部
３４  差分データ記憶部
４１  記録媒体読込み装置
４３  第２のアップコンバート部
４４  データ再構築部
４５  第２の信号出力部
５１  制御部
ＣＴ  ファイル名対応テーブル
ＤＦ  差分データ
ＨＤ  高精細データ
ＨＤ１  第１の高精細データ
ＨＤ２  第２の高精細データ
ＳＤ  標準データ
【図１】
0004546378.tif 000002
【図２】
0004546378.tif 000003
【図３】
0004546378.tif 000004
【図４】
0004546378.tif 000005
【図５】
0004546378.tif 000006
【図６】
0004546378.tif 000007
【図７】
0004546378.tif 000008
【図８】
0004546378.tif 000009